(57)【要約】【課題】ファール球通路の球詰まりを解消する際に、カバーの開放等の煩わしい作業を行わなくとも球詰まりを容易に解消可能な構造とした弾球遊技機を提供する。【解決手段】発射装置７によって発射したが、前記遊技領域Ａに到達しない遊技球を下皿６へと案内するファール球通路３３を備え、該ファール球通路３３は、ファール球落下口４３と、該ファール球落下口４３の下方に設けられ、該落下口４３から落下してきたファール球を受け入れるファール球受入部４４と、ファール球を下皿へと排出するファール球排出口４６と、前記ファール球受入部から前記ファール球排出口への通路を形成するファール球誘導通路部４７と、前記ファール球通路３３を被覆可能なカバー部材４０とからなり、前記カバー部材には、ファール球通路３３内と連通し、該ファール球通路内に球詰まり解消治具を挿入可能とする貫通孔５０を設けた。【選択図】    図３
2006198190.tif 000002
【特許請求の範囲】
【請求項１】
遊技盤ベースの表面に、ガイドレールを備えて発射通路を設けるとともに、該ガイドレールによって囲まれた領域を遊技球が転動流下する遊技領域として構成した遊技盤と、
該遊技盤の発射通路を通して前記遊技領域に遊技球を発射可能とする発射装置と、
前記発射装置によって発射したが、前記遊技領域に到達しない遊技球を発射通路から下皿へと案内するファール球通路を備え、
該ファール球通路は、発射通路の下側切端部と上側切端部との間に設けたファール球落下口と、
該ファール球落下口を構成する下側切端部と上側切端部の下方に設けられ、該落下口から落下してきたファール球を受け入れるファール球受入部と、
ファール球を下皿へと排出するファール球排出口と、
前記ファール球受入部から前記ファール球排出口への通路を形成するファール球誘導通路部と、
前記ファール球受入部とファール球誘導通路部を被覆可能なカバー部材とからなり、
前記カバー部材には、ファール球通路内と連通し、該ファール球通路内に球詰まり解消治具を挿入可能とする貫通孔を設けたことを特徴とする弾球遊技機。
【請求項２】
貫通孔は、少なくともカバー部材のファール球誘導通路に対応する位置に設けたことを特徴とする請求項１に記載の弾球遊技機。
【請求項３】
貫通孔は、ファール球誘導通路の流路に沿って設けられていることを特徴とする請求項１又は２に記載の弾球遊技機。
【発明の詳細な説明】
【技術分野】
【０００１】
本発明は、弾球遊技機、詳しくは、ファール球通路を備えた弾球遊技機に関する。
【背景技術】
【０００２】
弾球遊技機（いわゆるパチンコ機）は、遊技者が発射装置のハンドルのレバーを時計方向に回転させ、例えば内蔵する発射ソレノイドを作動させて遊技球を遊技盤の遊技領域に打ち出すことにより、該遊技領域に備えた多数の遊技釘や遊技球誘導部材（例えばステージや天通路等）などにより遊技球が転動しつつ流下し、所定の入賞装置に遊技球が入賞することで所望な演出がなされ、かつ賞球を得ることにより遊技を楽しむものである。
ところで、遊技領域に存する入賞装置への遊技球の入賞は、発射装置の遊技球打ち出し強弱を遊技者がハンドルのレバー回転で微妙に調整することによっても左右されるものであるため、遊技者は最適な遊技球発射勢いを探るため、ハンドルのレバー回転調整をして発射装置の遊技球打ち出し強弱を調整する。
【０００３】
ところが、遊技球の発射勢いが弱すぎる場合には、遊技領域に到達しないで発射通路を戻ってくる遊技球が存在するため、このような戻り球をファール球として発射通路領域から排出する必要がある。すなわち、このようなファール球が発射通路の領域内に存在していたのでは、次々に打ち出されてくる遊技球と衝突してしまい、遊技領域への遊技球の打ち出しが成し得なくなってしまうからである。そこで、このような弾球遊技機には、ファール球を発射通路領域から下皿へと排出するファール球通路を設けることとしている。
【０００４】
前記ファール球通路は、発射通路の一部に設けたファール球落下口から下皿に設けた排出口へと連通する通路構造であるが、遊技球打ち出し強弱調整のミス等によってファール球が増加したような場合、下皿に排出しきれずにファール球通路内で球詰まり（球組みともいう。）を起こす可能性があった。
そこで、このような球詰まり問題を防止する手段として、ファール球通路におけるファール球落下口の下方に、該ファール球落下口から落下するファール球を整流させて流下可能とする天壁を設けた弾球遊技機が提供されている（例えば、特許文献１参照）。
【特許文献１】特開平１０−１５１８１号公報
【発明の開示】
【発明が解決しようとする課題】
【０００５】
しかし、前記特許文献１に開示の先行技術では、実際に球詰まりが発生した場合、前記天壁若しくはファール球通路を被覆しているカバー部材を開放して球詰まりを解消しなければならず、大変な手間と労力が掛かっていた。
また、前記天壁やカバー部材を備えていない構成の弾球遊技機でこのような球詰まりを解消するためには、ファール球落下口若しくは下皿排出口などから鉤状の治具等を挿入し、該治具で球詰まりを起こしている遊技球を掻き出す作業が必要となるが、このような手段はファール球通路の流露形態が蛇行していることからも現実には困難を期していた。
本発明は、このような問題を解決するためになされており、その目的とするところは、ファール球通路の球詰まりを解消する際に、カバーの開放等の煩わしい作業を行わなくとも球詰まりを容易に解消可能な構造とした弾球遊技機を提供することにある。
【課題を解決するための手段】
【０００６】
このような目的を達成するために、第１の発明は、遊技盤ベース１８の表面に、ガイドレール１５を備えて発射通路（第二発射通路３８）を設けるとともに、該ガイドレール１５によって囲まれた領域を遊技球が転動流下する遊技領域Ａとして構成した遊技盤１９と、該遊技盤１９の発射通路（第二発射通路３８）を通して前記遊技領域Ａに遊技球を発射可能とする発射装置７と、前記発射装置７によって発射したが、前記遊技領域Ａに到達しない遊技球を発射通路（第二発射通路３８）から下皿６へと案内するファール球通路３３を備え、該ファール球通路３３は、発射通路（第一発射通路３７）の下側切端部３７ａと発射通路（第二発射通路３８）の上側切端部３８ａとの間に設けたファール球落下口４３と、該ファール球落下口４３を構成する下側切端部３７ａと上側切端部３８ａの下方に設けられ、該落下口４３から落下してきたファール球を受け入れるファール球受入部４４と、ファール球を下皿６へと排出するファール球排出口４６と、前記ファール球受入部４４から前記ファール球排出口４６への通路を形成するファール球誘導通路部４７と、前記ファール球受入部４４とファール球誘導通路部４７を被覆可能なカバー部材４０とからなり、前記カバー部材４０には、ファール球通路３３内と連通し、該ファール球通路３３内に球詰まり解消治具を挿入可能とする貫通孔５０を設けたことを特徴とする弾球遊技機としたことである。
【０００７】
本発明によれば、ファール球通路３３内で球詰まりが発生したとしても、貫通孔５０に針金などからなる球詰まり解消治具を挿入するだけで容易に球詰まりの解消が可能となる。
また、カバー部材４０などを取り外すなどの煩わしい作業が不要であるため、球詰まりを迅速に解消できる。
【０００８】
第２の発明は、第１の発明において、貫通孔５０（５０ａ，５０ｂ）は、少なくともカバー部材４０のファール球誘導通路４７に対応する位置に設けたことを特徴とする弾球遊技機としたことである。
【０００９】
本発明によれば、球詰まりの発生し易いファール球誘導通路４７に対応する位置に貫通孔５０（５０ａ，５０ｂ）が設けられるため、球詰まりが発生した際に、遊技場関係者がその都度球詰まり箇所を探さなくとも、貫通孔５０（５０ａ，５０ｂ）内で球詰まり解消治具を操作するのみで容易に球詰まりが解消できる。
【００１０】
第３の発明は、第１又は第２の発明において、貫通孔５０は、ファール球誘導通路４７の流路に沿って設けられていることを特徴とする弾球遊技機としたことである。
【００１１】
本発明によれば、第２の発明と同様の作用効果を生じるとともに、貫通孔５０形状が球詰まり解消治具を操作する際に案内路の役割も果たすため、容易かつ迅速に球詰まりが解消できる。
【発明の効果】
【００１２】
本発明によれば、ファール球通路の球詰まりを解消する際に、カバーの開放等の煩わしい作業を行わなくとも球詰まりを容易に解消可能な構造とした弾球遊技機を提供することにある。
【発明を実施するための最良の形態】
【００１３】
以下、本発明の一実施形態について説明する。なお、本実施形態は本発明の一例にすぎずなんらこれに限定解釈されるものではなく、本発明の範囲内で設計変更可能である。
【実施例１】
【００１４】
図１は、本発明を適用した弾球遊技機（パチンコ機ともいう）の一例を示す概略斜視図である。
弾球遊技機は、図１及び図２に示すように、外枠１の前面に内枠（ベースドア）２が回動自在に軸支され、該内枠２の前面には、遊技盤ベース１８に種々の遊技部材を備えて遊技領域Ａを構成した遊技盤１９が着脱自在に装着され、該遊技盤１９の背面には図示しない表示装置が着脱自在に装着されている。
【００１５】
遊技部材は、弾球遊技機において遊技に必要な全ての部材を言い、例えば、図１に示すような遊技球が転動する表側の遊技領域Ａを区画すると共に、該表側の遊技領域Ａに発射ソレノイドから打ち出される遊技球を導く発射通路（第二発射通路３８）を構成するガイドレール１５、表示装置の変動表示を起動すると共に、大当たりとするか否かの抽選処理を起動する始動入賞装置（始動入賞口ともいう）１０、大当たり時に開放するアタッカと称する特別電動役物の大入賞装置（大入賞口ともいう）１１、遊技球が入賞することにより遊技球の払い出しが行われる一般入賞口となる一般入賞装置１２、遊技領域での入賞を逃したアウト球を排出するアウト口１３、遊技盤ベース１８に打たれている図示しない多数の遊技釘、そして遊技球が転動可能なステージ１６、天通路１７などの遊技部材が一例として挙げられる。
【００１６】
遊技盤ベース１８は、前記各遊技部材を固定でき、かつ、容易に変形しない（曲がらない）又は変質しない程度の硬度・強度等を有する材質で形成されている。また、遊技盤ベース１８は、少なくともその一部が無色透明のアクリル樹脂材、ポリカーボネート樹脂、ポリアリレート樹脂などの透明性の高い硬質の合成樹脂材（透明部材）で形成され、裏側に配設される表示装置がその透明部材を介して視認可能とする。
また、樹脂以外の材質、例えばガラスなどを採用することも本発明の範囲内であり設計変更可能である。
なお、遊技盤ベースを介して遊技盤裏側の表示装置を視認可能とする構成を採用しない場合には、遊技盤ベース全体が非透明部材からなるものであっても構わない。
【００１７】
前記内枠２の前面には、図１に示すように、ガラス板４を嵌めたフロント扉３が回動自在に軸支され、該フロント扉３閉鎖時には、該フロント扉３の前側からガラス板４を介して前記遊技盤１９が視認される。
【００１８】
前記フロント扉３を軸支した内枠２の前面下部には、図１では図示しない払出装置から払い出された遊技球が遊技球受入口５ａから供給されるとともに、発射装置７へと遊技球を供給するための遊技球供給皿（上皿）５と、該遊技球供給皿５満杯時に遊技球受入口５ａの内方で溢れ出た球（溢出球）を排出する下皿排出口６ａを有する下皿６とを、単一（同一）の取付ベース２１に一体的に備えた皿ユニット２０が回動自在に軸支されている。
また、この下皿６には、発射装置７によって発射されたが、遊技領域Ａに到達しない遊技球（ファール球）と、遊技球供給皿５に備えられた球抜取装置５ｂを操作することによって、遊技球供給皿５から抜き取った遊技球（抜取球）が、前記下皿排出口６ａを介して排出される。
【００１９】
皿ユニット２０は、本実施例では、図１及び図２に示すように、遊技球供給皿５と下皿６を備える他、遊技球供給皿５から溢れ出た遊技球を受け入れる溢出球通路２４と、後述するファール球回収樋構造３９に備えられる遊技機本体枠側のファール球通路３３と連通する皿ユニット側のファール球通路３２と、遊技球供給皿５に備えられた球抜取装置５ｂを操作することによって、遊技球供給皿５から抜き取った遊技球を受け入れる抜取球通路３１と、遊技球供給皿５から球送り装置２２へと遊技球を供給する遊技球供給口３５と、皿ユニット２０を開放した際に、前記遊技球供給口３５からの遊技球落下を防止するシャッタ３６などが設けられている。
【００２０】
そして、図２及び図８に示すように、前記外枠１と内枠２からなる遊技機本体枠内の下部には、遊技球を遊技領域Ａへ向けて発射する発射装置７の遊技球発射部９を構成している発射ソレノイド９ａと、該発射ソレノイド９ａの前方に遊技球供給皿５から供給された遊技球を供給する球送り装置２２と、前記発射ソレノイド９ａの駆動により打ち出された遊技球を案内する発射通路（第一発射通路３７）と、前記発射装置７によって発射されたが、遊技領域Ａに到達しない遊技球を受け入れるファール球回収樋構造３９とが備えられている。なお、本実施例では、図に示すように、これら発射ソレノイド９ａと、球送り装置２２と、第一発射通路３７と、ファール球回収樋構造３９とが、単一の発射ユニット基板４２に備えられて遊技機本体枠内の下部に備えられている。
【００２１】
発射装置７は、図２及び図８に示すように、前記皿ユニット２０の反軸支側の切欠き部分に対応する内枠２の前面下部箇所に備えられ、遊技球を遊技領域Ａへ向けて発射するハンドル８と、前記発射ユニット基板４２の所定箇所に設けられた取付穴部４２ａに、後述する槌先９ｂを斜め上方に向けた状態で傾斜状に固定して備えられ、前記ハンドル８のレバー８ａを時計回り方向に回転させることにより発射停止スイッチがONとなり駆動する前記発射ソレノイド９ａと、該発射ソレノイド９ａの駆動により作動し、球送り装置２２から供給された遊技球供給皿５からの遊技球を叩打して遊技球を表側の遊技領域Ａに打ち出す槌先９ｂとで構成されている。
【００２２】
球送り装置２２は、図２及び図８に示すように、前述したように発射ユニット基板４２に備えられ、その内部に球送りソレノイド２３と、該球送りソレノイド２３の駆動により作動する図示しない球送りテコとを設けて構成されており、皿ユニット２０から遊技球供給皿５を介して転動してきた遊技球を、球送りテコの作動によって遊技球発射部９の発射ソレノイド９ａ前方に所定個数ずつ供給する。
【００２３】
第一発射通路３７は、図３、図５及び図８に示すように、発射ソレノイド９ａとファール球回収樋構造３９の切欠き開口端縁３９ａとの間で、前記発射ソレノイド９ａの前方から前記ファール球回収樋構造３９の切欠き開口端縁３９ａに向けて上り傾斜状で、かつ所定間隔をあけて前記発射ユニット基板４２に配設された上下一対のレール４１によって構成されている。
【００２４】
ファール球回収樋構造３９は、図２乃至図８に示すように、前記発射ユニット基板４２に備えられたファール球通路（遊技機本体枠側のファール球通路ともいう。）３３と、該ファール球通路３３を覆うカバー部材４０とで構成されている。
【００２５】
ファール球通路３３は、前記発射ユニット基板４２に設けられた第一発射通路３７の下流側に位置する下側切端部３７ａと、前記遊技盤１９に設けられた第二発射通路３８の上流側に位置する上側切端部３８ａとの間に存するファール球落下口４３と、該ファール球落下口４３を構成する前記下側切端部３７ａと上側切端部３８ａの下方に設けられ、該落下口４３から落下してきたファール球を受け入れるファール球受入部４４と、該ファール球受入部４４に備えられ、受け入れられたファール球が発射通路領域（第一発射通路３７若しくは第二発射通路３８のいずれかの領域）に戻ることを防止する球戻り防止部４５と、ファール球を前記皿ユニット２０に設けた皿ユニット側のファール球通路３２へと案内するファール球排出口４６と、前記ファール球受入部４４から前記ファール球排出口４６への通路を形成するファール球誘導通路４７とで構成されている。
【００２６】
ファール球受入部４４は、図５、図７及び図８に示すように、ファール球落下口４３の下方に広がる領域で、カバー部材４０の内部空間とともにファール球を複数個受け入れ可能な広さに形成されている。
なお、ファール球受入部４４の広さ・形状などは特に限定解釈されるものではなく、本発明の範囲内で設計変更可能であるが、ファール球落下口４３から落下した遊技球が発射通路領域（第一発射通路３７若しくは第二発射通路３８のいずれかの領域）に容易に戻らない程度の深さとしている。
【００２７】
球戻り防止部４５は、図５乃至図７に示すように、前記ファール球受入部４４の下方領域に備えられ、ファール球が通路に衝突する衝撃を減殺し、発射通路領域へのファール球の戻りを防止するもので、本実施例では、ファール球受入部４４内に落下したファール球が衝突する割合の高い底面部４５ａを、該底面部４５ａの先端に設けたファール球誘導通路４７との連通箇所である開口領域Ｄ１に向けて緩やかな下り傾斜状に形成して構成されている。
また、本実施例では、図５乃至図７に示すように、底面部４５ａの後端側に、該後端側に向けて下り傾斜状の傾斜壁部４５ｂを備えている。傾斜壁部４５ｂは、底面部４５ａの傾斜角度と比して傾斜角度を大きく採っている。
なお、この傾斜壁部４５ｂは、前記第一発射通路３７の先端に位置する下側切端部３７ａから第二発射通路３８へと発射される遊技球の飛出し領域であるファール球回収樋構造３９の切欠き開口端縁３９ａよりも低く構成して、該切欠き開口端縁３９ａから突出しないように留意することが必要である。
【００２８】
そして、本実施例では、図５乃至図７に示すように、ファール球落下口４３から落下したファール球が接触する前記球戻り防止部４５の面の一部又は全部に、ファール球落下時の衝撃を緩和するファール球緩衝部材４８を備えた。
【００２９】
ファール球緩衝部材４８は、ゴム若しくは軟質合成樹脂からなる弾性部材が一例として挙げる事ができ、本実施例では、この弾性部材からなるファール球緩衝部材４８を、球戻り防止部４５の底面部４５ａと傾斜壁部４５ｂの表面に貼り付け固定して備えている。
弾性部材としては、特に限定されるものではないが、好ましくは落下してきたファール球が接触した際に、そのファール球の勢いを減殺可能な程度の弾性、摩擦抵抗の高い材質を採用するとよい。また、弾性部材の厚さは特に限定されないが、接触したファール球の勢いを減殺可能な厚さとするのが好ましい。
なお、本実施例では、上述した通り、球戻り防止部４５の傾斜壁部４５ｂの傾斜角度を、底面部４５ａの傾斜角度と比して大きく採っているため、ファール球の発射通路領域（第一発射通路３７若しくは第二発射通路３８のいずれかの領域）への戻りを防止することができるとともに、ファール球のファール球誘導通路４７方向への流下作用が高まり、ファール球の接触面に、球戻り防止部４５として摩擦抵抗の大きい弾性部材を備えたとしても、ファール球が接触面で停止してしまうことがない。
【００３０】
ファール球誘導通路４７は、図５及び図７に示すように、前記ファール球受入部４４に備えた球戻り防止部４５の底面部４５ａ先端の開口領域Ｄ１を介して連通して備えられており、該開口領域Ｄ１から下方に延設された縦通路４７ａと、該縦通路４７ａから発射装置７方向へと緩やかな下り傾斜をもって延設された横通路４７ｂとで構成された正面視逆Ｌ字形状の通路構成を採用している。
【００３１】
ファール球排出口４６は、図５に示すように、前記ファール球誘導通路４７の下流側端部に設けられた開口で、皿ユニット２０を閉じた際に、皿ユニット２０の背面側に設けた皿ユニット２０側のファール球通路３２の開口３２ａと連通する位置に開口されている。
【００３２】
カバー部材４０は、図３、図４及び図８に示すように、ファール球受入部４４とファール球誘導通路４７を被覆するもので、前記発射ユニット基板４２との間で、発射通路幅と同程度若しくは発射通路幅よりも広く、かつファール球落下口４３長さと同程度若しくはファール球落下口４３長さよりも長いファール球受入口４９を形成するように前記発射ユニット基板４２に着脱可能に取り付けられている。
このカバー部材４０は、本実施例によれば、ファール球受入部４４の内部空間領域を広く確保するために、ファール球受入部４４に対応する箇所を前方（遊技者方向）に向けて膨出させている。また、前記ファール球排出口４６に対応する箇所には、少なくとも該排出口４６と同程度の大きさの開口４０ａが形成されている。
さらに、このカバー部材４０には、その頂面に、前記ファール球受入口４９に向けて緩やかな下り傾斜状の落下ガイド面４０ｂを備えている。
【００３３】
そして、このカバー部材４０には、図２乃至図４及び図８乃至図１０に示すように、ファール球通路３３内と連通し、該ファール球通路３３内に、例えば、針金状の球詰まり解消治具（図示せず）を挿入可能とするための貫通孔５０を設けている。球詰まり解消治具にあっては特に詳細な説明は省略するが、ファール球通路３３内で球詰まりしているファール球の球組みを解消して転動流下させることの可能な治具であればよく本発明の範囲内で設計変更可能である。
【００３４】
貫通孔５０は、本実施例では、図６に示すように、ファール球誘導通路４７の流路に沿って設けられ、該ファール球誘導通路４７内と連通する貫通孔としている。すなわち、本実施例では、ファール球誘導通路４７を構成している縦通路４７ａに沿った形状の直線状の貫通孔５０ａと、該縦通路４７ａと横通路４７ｂにわたって沿った形状である略逆Ｌ字形状の貫通孔５０ｂの２つの独立した貫通孔構成としている。
貫通孔５０は、少なくともファール球誘導通路４７に対応するカバー部材４０の任意位置に設けていればよいが、ファール球受入部４４内と連通する貫通孔を設けるものとしてもよい。
【００３５】
この貫通孔５０は、本実施例では、上述の通り、縦通路４７ａと横通路４７ｂに沿った２つの独立した貫通孔５０ａ，５０ｂとしているが、これら２つの貫通孔５０ａ，５０ｂを一本の連通した貫通孔とすることも可能で、貫通孔５０は１つのみ設けるものであっても、３つ以上設けるものであってもよく本発明の範囲内である。また、貫通孔５０の形状は、ファール球回収樋構造３９内からファール球が落下しない程度の孔形状であればよく特にその形状は特定されない。
なお、カバー部材４０の全体形状は特に図示形状に限定されず本発明の範囲内で設計変更可能である。また、カバー部材４０を本実施例では一体としているが、ファール球受入部４４とファール球誘導通路４７の夫々に対応する部分ごとに分離可能な分割構成としてもよい。
【００３６】
従って、本実施例によれば、発射装置７の発射ソレノイド９ａにより発射された遊技球は、第一発射通路３７を通って、該第一発射通路３７先端の下側切端部３７ａからファール球受入口４９を通過して第二発射通路３８に送られる。そして、該第二発射通路３８を通った遊技球は、第二発射通路３８の先端から遊技盤１９の遊技領域Ａに打ち出され、遊技領域Ａを転動流下する。
そして、発射装置７によって発射されて第二発射通路３８へと送られたが、発射勢いが弱く、発射領域Ａへと打ち出される事なく、第二発射通路３８を戻ってきてファール球落下口４３から落下する遊技球は、ファール球としてファール球回収樋構造３９のファール球受入口４９に受け入れられる。
そして、ファール球受入口４９からファール球受入部４４内に落下したファール球は、球戻り防止部４５に衝突するが、球戻り防止部４５に備えたファール球緩衝部材４８が、ファール球の勢いを減殺し、ファール球の発射通路領域（第一発射通路３７若しくは第二発射通路３８のいずれかの領域）への戻りを防止している。そして、そのファール球は、ファール球誘導通路４７に送られて、ファール球誘導通路４７を転動流下してファール球排出口４６から皿ユニット２０側のファール球通路３２を介して下皿排出口６ａから下皿６へと排出される。
「変形例１」
【００３７】
実施例１では、球戻り防止部４５と、該球戻り防止部４５にファール球緩衝部材４８を備えている実施の形態としているが、これら球戻り防止部４５・ファール球緩衝部材４８を備えていない形態であっても本発明の範囲内である。
なお、ファール球緩衝部材４８を備える実施の形態の場合、その領域は、少なくともファール球が直接接触（衝突）する領域であればよく、底面部４５ａと傾斜壁部４５ｂのいずれかであってもよく、また底面部４５ａと傾斜壁部４５ｂのいずれかの一箇所若しくは複数箇所に備えるものであってもよく本発明の範囲内で設計変更可能である。
また、実施例１では、球戻り防止部４５に別途形成された弾性部材からなるファール球緩衝部材４８を貼り付け固定する形態を採用しているが、球戻り防止部４５そのものを、ファール球緩衝部材４８で形成してもよい。なお、実施例１ではファール球緩衝部材４８を貼り付け固定するものとしたが、ファール球緩衝部材４８を溶着固定する形態を採用することも本発明の範囲内である。
【図面の簡単な説明】
【００３８】
【図１】本発明弾球遊技機を構成する遊技盤の一実施例を示す概略斜視図。
【図２】フロント扉を開放し、遊技盤を取り外した状態を示す斜視図。
【図３】フロント扉、遊技盤を取り外し、カバー部材を分離させた状態を示す斜視図。
【図４】フロント扉を開放し、遊技盤を取り外した状態を示す正面図。
【図５】発射ユニット基板を示す概略正面図。
【図６】発射ユニット基板を示す概略平面図。
【図７】発射ユニット基板を示す概略斜視図。
【図８】発射ユニット基板に発射ソレノイド、球送り装置、カバー部材を備えた状態を示す斜視図。
【図９】カバー部材の概略正面図。
【図１０】カバー部材の概略斜視図。
【符号の説明】
【００３９】
Ａ  遊技領域
６  下皿
７  発射装置
１５  ガイドレール
１８  遊技盤ベース
１９  遊技盤
３３  ファール球通路
３７  第一発射通路
３７ａ  下側切端部
３８  第二発射通路
３８ａ  上側切端部
４０  カバー部材
４３  ファール球落下口
４４  ファール球受入部
４６  ファール球排出口
４７  ファール球誘導通路部
５０  貫通孔
【図１】
2006198190.tif 000003
【図２】
2006198190.tif 000004
【図３】
2006198190.tif 000005
【図４】
2006198190.tif 000006
【図５】
2006198190.tif 000007
【図６】
2006198190.tif 000008
【図７】
2006198190.tif 000009
【図８】
2006198190.tif 000010
【図９】
2006198190.tif 000011
【図１０】
2006198190.tif 000012